(57)【要約】【課題】外観性を高め、かつ施工性を高めることができる外装板支持部材を提供する。【解決手段】外装板支持部材１０は、構造躯体１１に固定されるべき固定部１５と、固定部１５に支持されて構造躯体１１から離れる方向に突出する突出部１６と、外装板１２の裏面１７を構造躯体１１に対して５ｍｍ以上離間させた位置に位置決めする位置決め面１８と、外装板１２の上端部１９に係合すべく下方に延びる上端爪部２０とを備える。外装板支持部材１０は、位置決め面１８に設けられて外装板１２の裏面１７に弾性接触可能な切り起こし片２１を有し、切り起こし片２１が、下方よりも上方が位置決め面１８から外装板１２側へ離れる傾斜面となるように切り起こされている。【選択図】  図３
2004339885.tif 000002
【特許請求の範囲】
【請求項１】
建物の構造躯体に外装板を取り付けるために用いられる外装板支持部材であって、
前記構造躯体に固定されるべき固定部と、前記固定部に支持されて前記構造躯体から離れるべき方向に突出する突出部と、前記外装板の裏面を前記構造躯体に対して５ｍｍ以上離間させた位置に位置決めするための位置決め面と、前記外装板の上端部に係合すべく下方となるべき方向に延びる上端爪部とを備える外装板支持部材であって、
前記位置決め面に前記外装板の裏面に弾性接触可能な切り起こし片が設けられ、
前記切り起こし片が、その上方となるべき部分において弾性接触するように切り起こされていることを特徴とする外装板支持部材。
【発明の詳細な説明】
【０００１】
【発明の属する技術分野】
本発明は、建物の構造躯体に外装板を取り付けるために用いられる外装板支持部材に関する。
【０００２】
【従来の技術】
建物の耐久性を高めたり、外観性を高めたりする等の理由で構造躯体に外壁として外装板を取り付けることにより、建物の周囲を外装板で覆う。
この外装板取付構造は、建物を構成する構造躯体に、外装板支持部材を釘やビスで留め付けた後、外装板の下端部を外装板支持部材に載せ、外装板支持部材で外装板の重量を支える。
【０００３】
次に、外装板の上端部に外装板支持部材をセットし、この外装板支持部材を構造躯体に釘やビスで留め付け、外装板の上下に配置した外装板支持部材で外装板を柱や間柱等の構造躯体に保持する。
以下、上記工程を順次繰り返して、外装板を建物下側から上側に向けて順番に取り付けることにより、建物の周囲を外装板で覆うことができる。
【０００４】
ところで、外装板支持部材のなかには、外装板と構造躯体との間に空気を流通させるために、外装板と構造躯体との間に空間を確保できるものがある。
この外装板支持部材１００は、図５に示すように、構造躯体１０１に固定されるべき固定部１０２と、固定部１０２に支持されて構造躯体１０１から離れる方向に突出する左右の突出部１０３と、外装板の裏面を構造躯体１０１に対して所定間隔離間させた位置に位置決めする位置決め面１０４と、外装板の上端部に係合すべく下方に延びる上端爪部１０５と、外装板の下端部に係合すべく上方に延びる下端爪部１０６とを備える。
【０００５】
【発明が解決しようとする課題】
この外装板支持部材１００で外装板を好適に固定するために、図６で示すように上端爪部１０５の傾斜や下端爪部１０６の傾斜を矢印の方向に調整して、上端爪部１０５と外装板の上端部との間隔を開かないようにするとともに、下端爪部１０６と外装板の下端部との間隔を開かないようにして、外装板支持部材と外装板とのガタ付きを抑える方法が知られている。
【０００６】
しかし、現実には外装板や外装板支持部材には製造公差があり、図７に示すように外装板１０８を外装板支持部材１００で取り付ける際に、例えば下方の外装板１０８の上端部１０９と外装板支持部材１００の上端爪部１０５との間に隙間１１０が発生して、下方の外装板１０８と上方の外装板１０８とに段差Ｄが発生する。
【０００７】
これにより、外装板１０８を外装板支持部材１００で組み付けた際に、外観性が悪くなる虞れがある。
また、下方の外装板１０８の上端部１０９と外装板支持部材１００の上端爪部１０５との間に隙間１１０が発生すると、例えば図８に示すように、施工時に外装板支持部材１００が矢印のように回転したり、移動したりして施工性が悪いという問題がある。
【０００８】
本発明は、外装板の外観性を高め、かつ、施工性を高めることができる外装板支持部材を提供することにある。
【０００９】
【課題を解決するための手段】
前述した目的を達成するために、本発明の外装板支持部材は、建物の構造躯体に外装板を取り付けるために用いられる外装板支持部材であって、前記構造躯体に固定されるべき固定部と、前記固定部に支持されて前記構造躯体から離れるべき方向に突出する突出部と、前記外装板の裏面を前記構造躯体に対して５ｍｍ以上離間させた位置に位置決めするための位置決め面と、前記外装板の上端部に係合すべく下方となるべき方向に延びる上端爪部とを備える外装板支持部材であって、前記位置決め面に前記外装板の裏面に弾性接触可能な切り起こし片が設けられ、前記切り起こし片が、その上方となるべき部分において弾性接触するように切り起こされていることを特徴とする。
【００１０】
このように構成された外装板支持部材においては、外装板の裏面に弾性接触可能な切り起こし片を位置決め面に設けた。よって、切り起こし片を外装板の裏面に接触させることで、切り起こし片で外装板の裏面を外側に向けて押圧する。
これにより、外装板を外装板支持部材に当接させて、外装板と外装板支持部材との間に隙間が発生することを防止する。
【００１１】
ここで、外装板の上端部に外装板支持部材をセットする際に、切り起こし片の下方側から外装板の上端部にセットする。
そこで、切り起こし片を、下方よりも上方が位置決め面から離れた傾斜面となるように切り起こした。
【００１２】
よって、外装板の上端部に外装板支持部材をセットする際に、切り起こし片の下方側から容易に外装板支持部材を取り付けることができ、さらに外装板支持部材を外装板の上端部にセットした際に、切り起こし片の上方側の部位で外装板の裏面を確実に押圧できる。
【００１３】
【発明の実施の形態】
以下、本発明に係る実施形態を図面に基づいて詳細に説明する。なお、以下に説明する実施形態において、既に図１〜図３において説明した部材等については、図中に同一符号あるいは相当符号を付すことにより説明を簡略化しあるいは省略する。
【００１４】
図１〜図３に示すように外装板支持部材１０は、建物の構造躯体１１に外装板１２を取り付けるために用いられる部材であって、構造躯体１１に固定されるべき固定部１５と、固定部１５に支持されて構造躯体１１から離れる方向に突出する突出部１６と、外装板１２の裏面１７（図３参照）を構造躯体１１に対して５ｍｍ以上離間させた位置に位置決めする位置決め面１８と、外装板１２の上端部１９（図３参照）に係合すべく下方に延びる上端爪部２０とを備える。
【００１５】
この外装板支持部材１０は、位置決め面１８に設けられて外装板１２の裏面１７に弾性接触可能な切り起こし片２１を有し、切り起こし片２１が、下方（すなわち、下端部２２）よりも上方（すなわち、上端部２３）が位置決め面１８から外装板１２側へ離れる傾斜面となるように切り起こされている。
【００１６】
固定部１５は、略矩形状に形成した板材で、中央近傍に釘２５を差し込むための差込孔２６（図３参照）が形成されている。固定部１５は、差込孔２６に差し込んだ釘２５を構造躯体１１に打ち付けることにより、構造躯体１１に取り付けられる。
固定部１５の両側部にはそれぞれ突出部１６が設けられ、突出部１６には外装板１２の裏面１７に接触する接触縁２８が設けられている。
【００１７】
外装板支持部材１０に突出部１６や位置決め面１８を設けることで、外装板支持部材１０で構造躯体１１に外装板１２を組み付けた際に、構造躯体１１に対して５ｍｍ以上離間させた位置に外装板１２を組み付けることができる。
よって、構造躯体１１と外装板１２との間に空間を形成して、この空間を利用して空気を流通させることができる。
【００１８】
また、位置決め面１８は、図２に示すように、両側の突出部１６の下端部に折曲片１８Ａを設け、それぞれの折曲片１８Ａを固定部１５に対して平行に折り曲げて互いに対向させることにより形成される。
位置決め面１８の上端から固定部１５に対して離れる方向に、かつ固定部１５に対して直交させて爪支え片３２が延び、爪支え片３２の先端に一対の下端爪部３３を設けるとともに、一対の下端爪部３３の間に上端爪部２０を設ける。
【００１９】
位置決め面１８には、一定間隔を置いて一対の切り起こし片２１が切り起こされている。
下端爪片３３は、外装板１２の下端部３４に係合すべく斜め上方に延びる突片であり、上端爪片２０は、外装板１２の上端部１９に係合すべく斜め下方に延びる突片である。
【００２０】
切り起こし片２１は、位置決め面１８に切りこみを入れることにより、下端部２２（図３参照）が位置決め面１８に連結された矩形状のフラップを形成し、このフラップを固定部１５から離れる方向に折り曲げた片である。
具体的には、切り起こし片２１は、下端部２２よりも上端部２３が位置決め面１８から離れる傾斜面となるように切り起こされた片である。
【００２１】
つぎに、外装板支持部材１０で外装板１２を構造躯体１１に取り付ける工程について、図４に基づいて説明する。
図中に示す下側の外装板支持部材１０で外装板１２の下端部３４を支えて、外装板１２を所定位置に配置した後、外装板１２の上方から外装板支持部材１０を外装板１２の上端部１９に矢印のようにセットする。
【００２２】
すなわち、外装板支持部材１０を外装板１２の上端部１９に向けて矢印のように下降することにより、切り起こし片２１の下方側（下端部２２）から外装板１２にセットする。
ここで、切り起こし片２１を、下方（下端部２２）を位置決め面１８に近づけ、下方（下端部２２）よりも上方（上端部２３）が位置決め面１８から離れた傾斜面となるように切り起こしたので、外装板支持部材１０の爪支え片３２を外装板１２の上端部１９に容易にセットすることができる。
【００２３】
爪支え片３２を外装板１２の上端部１９にセットした状態において、切り起こし片２１の上端部２３が外装板１２の裏面１７に接触して、図３に示すように外装板１２の裏面１７を固定部１５から離れる方向に押圧する。
よって、外装板１２の上端部１９を上端爪部２０に当接させることができる。
【００２４】
この状態で、外装板支持部材１０の固定部１５を釘（またはビス）２５で構造躯体１１に固定する。構造躯体１１に外装板支持部材１０を固定した後、図３に示すように外装板１２を構造躯体１１に釘３６で打ち付けて固定する。
以下、上記工程を順次繰り返して、外装板１２を建物の下側から上側に向けて順番に取り付けることができる。これにより、建物の周囲を外装板１２で簡単に覆うことができる。
【００２５】
この外装板支持部材１０によれば、外装板１２の裏面１７に弾性接触可能な切り起こし片２１を位置決め面１８に設けた。よって、切り起こし片２１を外装板１２の裏面１７に接触させることで、切り起こし片２１で外装板１２の裏面１７を外側に向けて押圧する。
【００２６】
これにより、外装板１２の上端部１９を外装板支持部材１０の上端爪部２０に当接させて、外装板１２の上端部１９と外装板支持部材１０の上端爪部２０との間に隙間が発生することを防止する。
よって、外装板支持部材１０で外装板１２を組み付けた際に、各々の外装板１２の外面３７（図３参照）を面一に配置して、外観性を高めることができる。
【００２７】
ここで、外装板１２の上端部１９に外装板支持部材１０をセットする際に、切り起こし片２１の下方（下端部２２）側から外装板１２の上端部１９にセットする。そこで、切り起こし片２１を、下方（下端部２２）よりも上方（上端部２３）が位置決め面１８から外装板１２側へ離れた傾斜面となるように切り起こした。
【００２８】
よって、外装板支持部材１０を取り付ける際に、下方（下端部２２）側から容易に外装板１２の上端部１９にセットすることができ、さらに外装板支持部材１０を外装板１２に取り付けた際に、切り起こし片２１の上方側の部位（上端部２３）で外装板１２の裏面１７を確実に押圧でき、施工の容易性を高めることができる。
【００２９】
なお、前記第実施形態では、外装板支持部材１０に突出部１６や位置決め面１８を備えることで、外装板１２の裏面１７を構造躯体１１に対して、一例として５ｍｍ以上離間させた位置に位置決めするように構成した例について説明したが、外装板１２の裏面１７を構造躯体１１に対して離間する間隔は、これに限定するものではなく適宜選択することができる。
【００３０】
また、本発明は、前述した実施形態に限定されるものでなく、適宜な変形，改良等が可能であり、前述した実施形態において例示した外装板支持部材１０、切り起こし片２１、上端爪部２０、下端爪部３３、突出部１６等の材質，形状，寸法，形態，数，配置個所，厚さ寸法等は本発明を達成できるものであれば任意であり、限定されない。
【００３１】
【発明の効果】
以上、説明したように、本発明の外装板支持部材によれば、外装板の裏面に弾性接触可能な切り起こし片を位置決め面に設けた。よって、切り起こし片を外装板の裏面に接触させることで、切り起こし片で外装板の裏面を外側に向けて押圧する。
【００３２】
これにより、外装板を外装板支持部材に当接させて、外装板と外装板支持部材との間に隙間が発生することを防止する。
この結果、外装板を組み付けた際に、各々の外装板の外面を面一に配置して、外観性を高めることができる。
【００３３】
ここで、外装板の上端部に外装板支持部材をセットする際に、切り起こし片の下方側から外装板の上端部にセットする。
そこで、切り起こし片を、下方よりも上方が位置決め面から離れた傾斜面となるように切り起こした。
【００３４】
よって、外装板の上端部に外装板支持部材をセットする際に、切り起こし片の下方側から容易に外装板支持部材を取り付けることができ、さらに外装板支持部材を外装板の上端部にセットした際に、切り起こし片の上方側の部位で外装板の裏面を確実に押圧できる。
これにより、外装板支持部材で外装板を組み付ける際の施工性を高めることができる。
【図面の簡単な説明】
【図１】
本発明に係る外装板支持部材で外装板を支持した状態を示す斜視図である。
【図２】
本発明に係る外装板支持部材を示す斜視図である。
【図３】
本発明に係る外装板支持部材で外装板を支持した状態を示す断面図である。
【図４】
本発明に係る外装板支持部材に外装板を取り付ける状態を説明する図である。
【図５】
従来の外装板支持部材を示す斜視図である。
【図６】
従来の外装板支持部材に外装板を取り付ける状態を説明する図である。
【図７】従来の外装板支持部材に外装板を取り付けた状態を示す断面図である。
【図８】従来の外装板支持部材に外装板を取り付ける状態を説明する正面図である。
【符号の説明】
１０  外装板支持部材
１１  構造躯体
１２  外装板
１５  固定部
１６  突出部
１７  外装板の裏面
１８  位置決め面
１９  外装板の上端部
２０  上端爪部
２１  切り起こし片
２２  切り起こし片の下端部
２３  切り起こし片の上端部
【図１】
2004339885.tif 000003
【図２】
2004339885.tif 000004
【図３】
2004339885.tif 000005
【図４】
2004339885.tif 000006
【図５】
2004339885.tif 000007
【図６】
2004339885.tif 000008
【図７】
2004339885.tif 000009
【図８】
2004339885.tif 000010